(57)【要約】  【課題】個々の映像表示部が任意のサイズで使用できると共に、任意の位置に配置でき、かつ、設置調整作業が容易なマルチ画面用表示装置、及びその制御方法を提供する。  【解決手段】マルチ画面用表示装置を、映像信号の映像エリアとその解像度情報を出力する映像エリア判別手段１１と、パラメータ演算手段６から入力した、切り出しエリア情報とそのサンプリング開始位置情報と切り出されたエリアの拡大率情報とを出力する制御手段１０と、映像信号から設定されたエリアを切り出す映像エリア切り出し手段１３と、切り出されたエリアの映像信号を拡大率情報により拡大する解像度変換手段１４と、拡大された映像信号を表示する映像表示手段１５と、キー入力手段７から入力された設定データを演算し、制御手段１０へ出力する表示パラメータ演算手段６とで構成する。【選択図】図１
2006243200.tif 000002
【特許請求の範囲】
【請求項１】
１つの映像を画面表示する映像信号を入力して複数の画面に分割した分割画面を表示するマルチ画面の表示システムに使用され、
前記映像信号の解像度情報と、前記映像の中で分割される画面の範囲を規定する切り出しエリア情報と、同切り出しエリア情報に従って前記映像信号からサンプリングして映像を取り込むサンプリング開始位置情報と、切り出された映像を画面に拡大表示する拡大率情報とに基づいて前記分割画面の１つを拡大表示するマルチ画面用表示装置の制御方法において、
前記切り出しエリア情報は、縦横の前記マルチ画面寸法に対する縦横の前記分割画面寸法のそれぞれの比率に前記解像度情報を乗じて算出され、前記サンプリング開始位置情報は、縦横の前記マルチ画面寸法に対する縦横の前記分割画面の取付位置寸法のそれぞれの比率に前記解像度情報を乗じて算出され、前記拡大率情報は、前記分割画面の縦横の解像度からなり、縦横の前記マルチ画面寸法に対する縦横の前記分割画面寸法のそれぞれの比率で縦横の前記解像度情報を除算して算出されてなることを特徴とするマルチ画面用表示装置の制御方法。
【請求項２】
１つの映像を画面表示する映像信号を入力して複数の画面に分割した分割画面を表示するマルチ画面の表示システムに使用され、前記分割画面の１つを拡大表示するマルチ画面用表示装置において、
同マルチ画面用表示装置は、前記映像信号の映像エリアとその縦横の解像度情報を出力する映像エリア判別手段と、前記マルチ画面の寸法からなるマルチ画面寸法と分割画面の寸法からなる分割画面寸法と前記マルチ画面に対する分割画面の取付位置座標との数値データを入力する入力手段と、前記数値データと前記解像度情報とを入力し、前記映像信号の中から前記分割画面の範囲を規定する切り出しエリア情報と同切り出しエリア情報に従って前記映像信号からサンプリングして映像を取り込むサンプリング開始位置情報と切り出された映像を画面に拡大表示する拡大率情報とを算出する表示パラメータ演算手段と、前記切り出しエリア情報と前記サンプリング開始位置情報と前記拡大率情報とを制御して出力する制御手段と、前記切り出しエリア情報と前記サンプリング開始位置情報とに基づいて前記映像信号からエリアを切り出す映像エリア切り出し手段と、切り出されたエリアの映像信号を前記拡大率情報に基づいて拡大する解像度変換手段と、拡大された映像信号を前記分割画面として表示する映像表示手段とを備えてなることを特徴とするマルチ画面用表示装置。
【請求項３】
前記切り出しエリア情報は、縦横の前記マルチ画面寸法に対する縦横の前記分割画面寸法のそれぞれの比率に前記解像度情報を乗じて算出され、前記サンプリング開始位置情報は、縦横の前記マルチ画面寸法に対する縦横の前記分割画面の取付位置寸法のそれぞれの比率に前記解像度情報を乗じて算出され、前記拡大率情報は、前記分割画面の縦横の解像度からなり、縦横の前記マルチ画面寸法に対する縦横の前記分割画面寸法のそれぞれの比率で縦横の前記解像度情報を除算して算出されてなることを特徴とする請求項２記載のマルチ画面用表示装置。
【発明の詳細な説明】
【技術分野】
【０００１】
本発明は、１つの映像信号を複数の画面に分割して表示するマルチ画面表示システムに関し、より詳細には、複数の表示装置を組み合わせて１つのマルチ画面を表示させる時の組合せに柔軟性を持たせたマルチ画面用表示装置及びその制御方法に関する。
【背景技術】
【０００２】
図６（Ａ）は従来のマルチ画面表示システムを示すブロック図である。図６（Ａ）において、２００は例えば１台のプラズマディスプレイなどのマルチ画面用表示装置であり、マルチ画面表示システムは、このマルチ画面用表示装置２００が縦横方向に複数台ずつ配置されて１つの大画面を構成している。このようなマルチ画面表示システムは種々のイベント会場などで、大画面による迫力で客の興味を引きつけるために多用されている。
【０００３】
マルチ画面用表示装置２００において、１１は映像信号の映像エリア及びその映像エリアの解像度を判別して解像度情報を出力する映像エリア判別部である。１２は上記解像度情報に基づいて入力映像信号から切り出すエリアを決める切り出しエリア情報とそのサンプリング開始位置情報を出力すると共に、切り出されたエリアの拡大率を求め、拡大率情報を出力する制御部である。
【０００４】
１３は映像信号から切り出しエリア情報とサンプリング開始位置情報により設定されたエリアを切り出す映像エリア切り出し部である。１４は切り出されたエリアの映像信号を上記拡大率情報に基づいて水平・垂直方向に拡大する解像度変換部である。１５は拡大された映像信号を画面表示する映像表示部であり、プラズマ・ディスプレイパネルや液晶表示素子等の固定画素表示を行う表示素子が用いられている。
【０００５】
切り出し映像選択部１６は、ユーザが複数のマルチ画面用表示装置２００から表示を希望するマルチ画面用表示装置を選択すると共に、縦・横方向に並べられたマルチ画面用表示装置２００の台数と、それらのマルチ画面用表示装置２００の表示装置番号（識別情報）を選択設定するものである。
【０００６】
次に、上記構成による動作について説明する。ここでは、横ｘ台、縦ｙ台のマルチ画面用表示装置２００が並べられ、そのうち、横２台、縦２台のマルチ画面用表示装置２００で表示を行うものとする。また、入力映像信号の解像度を１２８０×１０２４とし、映像表示部１５の解像度を１２８０×１０２４とする。
【０００７】
図６（Ａ）において、入力映像信号は各マルチ画面用表示装置２００に共通に入力される。ユーザは表示を希望するマルチ画面用表示装置２００を選択し、その切り出し映像選択部１６を操作して、表示を希望する横２台、縦２台のマルチ画面用表示装置台数を設定すると共に、それらのマルチ画面用表示装置２００の表示装置番号を設定する。この操作を上記４台のマルチ画面用表示装置２００についてそれぞれ行う。
【０００８】
選択されたマルチ画面用表示装置２００において、映像エリア判別部１１は、入力映像信号の映像エリアを判別すると共に、その映像エリアの解像度を判別して解像度情報を制御部１２に出力する。制御部１２は、ユーザが選択したマルチ画面用表示装置台数、表示装置番号からサンプリング開始位置と切り出しエリアを演算により求める。
【０００９】
この結果、例えば図６（Ｂ）に示すように、表示装置番号１では、（０，０）座標、表示装置番号２では、（６４０，０）座標、表示装置番号３では、（０，５１２）座標、表示装置番号４では、（６４０，５１２）座標が、選択されたマルチ画面用表示装置２００の各映像表示部１５におけるサンプリング開始位置となる。尚、図６（Ｂ）における表示装置番号１〜４は便宜上付した番号であり、実際とは異なる番号である。また、図２において、ＨＳＹＮＣは水平同期信号、ＶＳＹＮＣは垂直同期信号、ＤＥ１，ＤＥ２は水平方向を切り出す信号、ＤＥ３，ＤＥ４は垂直方向を切り出す信号を示す。ＤＥ１〜４は便宜上明示しただけであり、各マルチ画面用表示装置の表示有効エリアをさすものである。
【００１０】
一般的には、水平解像度をｈ、垂直解像度をｖとし、表示を行うマルチ画面用表示装置２００が横ａ番目、縦ｂ番目とすると、サンプリング開始座標は、〔ｈ／ｘ・（ａ−１），ｖ／ｙ・（ｂ−１）〕として計算される。また、切り出しエリアは、水平方向がｈ／ｘ、垂直方向がｖ／ｙとして計算される。
【００１１】
さらに、制御部１２は、解像度情報とユーザが選択した縦横のマルチ画面用表示装置２００の台数に基づいて切り出しエリアの水平・垂直方向の拡大率情報を演算により求める。この結果、水平解像度は１２８０／２＝６４０、垂直解像度は１０２４／２＝５１２となる。
【００１２】
制御部１２は、上記計算された６４０×５１２の解像度の切り出し情報と、上記サンプリング開始位置情報を映像切り出し部１３に送る。映像切り出し部１３は、映像エリア判別部１１を通った入力映像信号から上記各情報に応じて設定されたエリアを切り出す。解像度変換部１４は、切り出されたエリアの映像信号を、上記水平解像度及び垂直解像度を示す拡大率情報に基づいて拡大し、映像表示部１５は、拡大された映像信号を画面一杯に表示する。従って、選択された４台のマルチ画面用表示装置２００の映像表示部１５によるマルチ画面により、入力映像信号を水平方向に２倍、垂直方向に２倍に拡大表示している（例えば、特許文献１参照。）。
【００１３】
ところで、近年のテレビ受像機においては、表示している全体画像の範囲内から任意の範囲をリモコンで選択し、この選択された範囲を画面全体に拡大して表示させる拡大表示機能を備えたものもある。このようなテレビ受像機を複数台組み合わせることにより、簡易的にマルチ画面を構成することもできる。
【００１４】
しかしながら、図６で説明したマルチ画面用表示装置では、個々の映像表示部が同じ画面サイズであり、かつ、隣接する映像表示部が隙間無く配置されていることが前提である。つまり、画面サイズとその配置に関しては自由度がなかった。
【００１５】
また、拡大表示機能を備えたテレビ受像機を用いる簡易マルチ画面表示方式では、全体画像の範囲において、該当するテレビ受像機毎に拡大表示する範囲を指定しなければならない。このため、拡大表示する範囲が他のテレビ受像機と重なる部分が発生したり、逆に拡大表示する範囲が他のテレビ受像機と隣接しなくなる不具合がある。
【００１６】
また、マルチ画面を構成した時に表示される個々のテレビ受像機の映像が同じ大きさとなるように、表示拡大率を考慮しながら個々のテレビ受像機を試行錯誤しながら設定しなければならず、マルチ画面表示システムを構成したときに、設置調整作業が容易ではなかった。
【００１７】
このため、個々の映像表示部が任意のサイズで使用できると共に、従来の矩形型のマルチ画面の形状だけでなく、任意の位置に配置でき、かつ、設置調整作業が容易なマルチ画面用表示装置が、種々のイベントで要求されるデザインに柔軟に対応できるものとして望まれていた。
【００１８】
【特許文献１】特開２００３−２０８１４５号公報（第３−４頁、図１）
【発明の開示】
【発明が解決しようとする課題】
【００１９】
本発明は以上述べた問題点を解決し、マルチ画面表示システムに使用されるマルチ画面用表示装置において、個々の映像表示部が任意のサイズで使用できると共に、任意の位置に配置でき、かつ、設置調整作業が容易なマルチ画面用表示装置、及びその制御方法を提供することを目的とする。
【課題を解決するための手段】
【００２０】
本発明は上述の課題を解決するため、１つの映像を画面表示する映像信号を入力して複数の画面に分割した分割画面を表示するマルチ画面の表示システムに使用され、
前記映像信号の解像度情報と、前記映像の中で分割される画面の範囲を規定する切り出しエリア情報と、同切り出しエリア情報に従って前記映像信号からサンプリングして映像を取り込むサンプリング開始位置情報と、切り出された映像を画面に拡大表示する拡大率情報とに基づいて前記分割画面の１つを拡大表示するマルチ画面用表示装置の制御方法において、
前記切り出しエリア情報は、縦横の前記マルチ画面寸法に対する縦横の前記分割画面寸法のそれぞれの比率に前記解像度情報を乗じて算出され、前記サンプリング開始位置情報は、縦横の前記マルチ画面寸法に対する縦横の前記分割画面の取付位置寸法のそれぞれの比率に前記解像度情報を乗じて算出され、前記拡大率情報は、前記分割画面の縦横の解像度からなり、縦横の前記マルチ画面寸法に対する縦横の前記分割画面寸法のそれぞれの比率で縦横の前記解像度情報を除算して算出されてなるようにする。
【００２１】
もしくは、１つの映像を画面表示する映像信号を入力して複数の画面に分割した分割画面を表示するマルチ画面の表示システムに使用され、前記分割画面の１つを拡大表示するマルチ画面用表示装置において、
同マルチ画面用表示装置は、前記映像信号の映像エリアとその縦横の解像度情報を出力する映像エリア判別手段と、前記マルチ画面の寸法からなるマルチ画面寸法と分割画面の寸法からなる分割画面寸法と前記マルチ画面に対する分割画面の取付位置座標との数値データを入力する入力手段と、前記数値データと前記解像度情報とを入力し、前記映像信号の中から前記分割画面の範囲を規定する切り出しエリア情報と同切り出しエリア情報に従って前記映像信号からサンプリングして映像を取り込むサンプリング開始位置情報と切り出された映像を画面に拡大表示する拡大率情報とを算出する表示パラメータ演算手段と、前記切り出しエリア情報と前記サンプリング開始位置情報と前記拡大率情報とを制御して出力する制御手段と、前記切り出しエリア情報と前記サンプリング開始位置情報とに基づいて前記映像信号からエリアを切り出す映像エリア切り出し手段と、切り出されたエリアの映像信号を前記拡大率情報に基づいて拡大する解像度変換手段と、拡大された映像信号を前記分割画面として表示する映像表示手段とを備えてなるように構成する。
【００２２】
また、前記切り出しエリア情報は、縦横の前記マルチ画面寸法に対する縦横の前記分割画面寸法のそれぞれの比率に前記解像度情報を乗じて算出され、前記サンプリング開始位置情報は、縦横の前記マルチ画面寸法に対する縦横の前記分割画面の取付位置寸法のそれぞれの比率に前記解像度情報を乗じて算出され、前記拡大率情報は、前記分割画面の縦横の解像度からなり、縦横の前記マルチ画面寸法に対する縦横の前記分割画面寸法のそれぞれの比率で縦横の前記解像度情報を除算して算出されてなるようにする。
【発明の効果】
【００２３】
以上の手段を用いることにより、本発明によるマルチ画面用表示装置によれば、
請求項１に係わる発明は、切り出しエリア情報が、縦横のマルチ画面寸法に対する縦横の分割画面寸法のそれぞれの比率に解像度情報を乗じて算出され、サンプリング開始位置情報は、縦横のマルチ画面寸法に対する縦横の分割画面の取付位置寸法のそれぞれの比率に解像度情報を乗じて算出され、拡大率情報は、分割画面の縦横の解像度からなり、縦横のマルチ画面寸法に対する縦横の分割画面寸法のそれぞれの比率で縦横の解像度情報を除算して算出されてなるようにすることにより、
マルチ画面用表示装置をマルチ画面の任意の位置に配置しても、また、マルチ画面用表示装置の表示画面が任意のサイズであっても、その配置された位置とサイズに対応して表示することができる。また、異なる画面サイズのマルチ画面用表示装置を複数併用してマルチ画面を構成することができ、必要とされるマルチ画面に柔軟に対応できる。
【００２４】
請求項２に係わる発明は、マルチ画面用表示装置が、映像信号の映像エリアとその縦横の解像度情報を出力する映像エリア判別手段と、マルチ画面の寸法からなるマルチ画面寸法と分割画面の寸法からなる分割画面寸法とマルチ画面に対する分割画面の取付位置座標との数値データを入力するキー入力手段と、数値データと解像度情報とを入力し、映像信号の中から分割画面の範囲を規定する切り出しエリア情報と同切り出しエリア情報に従って映像信号からサンプリングして映像を取り込むサンプリング開始位置情報と切り出された映像を画面に拡大表示する拡大率情報とを算出する表示パラメータ演算手段と、切り出しエリア情報とサンプリング開始位置情報と拡大率情報とを制御して出力する制御手段と、切り出しエリア情報とサンプリング開始位置情報とに基づいて映像信号からエリアを切り出す映像エリア切り出し手段と、切り出されたエリアの映像信号を拡大率情報に基づいて拡大する解像度変換手段と、拡大された映像信号を分割画面として表示する映像表示手段とを備えて構成されてなることにより、
マルチ画面用表示装置をマルチ画面の任意の位置に配置しても、また、マルチ画面用表示装置の表示画面が任意のサイズであっても、その配置された位置とサイズに対応して表示させることができる。また、異なる画面サイズのマルチ画面用表示装置を複数併用してマルチ画面を構成することができ、必要とされるマルチ画面に柔軟に対応できる。また、設定データを個々のマルチ画面用表示装置に設定できるため、該当するマルチ画面用表示装置単体で運用することができる。
【００２５】
請求項３に係わる発明は、切り出しエリア情報が、縦横のマルチ画面寸法に対する縦横の分割画面寸法のそれぞれの比率に解像度情報を乗じて算出され、サンプリング開始位置情報は、縦横のマルチ画面寸法に対する縦横の分割画面の取付位置寸法のそれぞれの比率に解像度情報を乗じて算出され、拡大率情報は、分割画面の縦横の解像度からなり、縦横のマルチ画面寸法に対する縦横の分割画面寸法のそれぞれの比率で縦横の解像度情報を除算して算出されてなるようにすることにより、
マルチ画面用表示装置に設定するデータは画面の寸法と設置寸法だけでよいため、マルチ画面用表示装置を設置する場合に、設定作業を容易に行なうことができる。
【発明を実施するための最良の形態】
【００２６】
以下、本発明の実施の形態を、添付図面に基づいた実施例として詳細に説明する。なお、背景技術で説明した部分については同じ番号を付与し、詳細な説明を省略する。
【実施例１】
【００２７】
図１は本発明によるマルチ画面用表示装置１〜４を用いて構成したマルチ画面表示システムを示すブロック図である。このマルチ画面表示システムは、このマルチ画面用表示装置１〜４が図２に示すように縦横方向に２台ずつ配置されて１つの大画面を構成している。
【００２８】
なお、各マルチ画面用表示装置はそれぞれの画面サイズが異なるのみで、他は全て同じ構成である。この実施例ではマルチ画面用表示装置１は図２に示す画面Ａを、マルチ画面用表示装置２は画面Ｂを、マルチ画面用表示装置３は画面Ｃを、マルチ画面用表示装置４は画面Ｄを、それぞれ表示することができる。
【００２９】
マルチ画面用表示装置１において、１１は映像信号の映像エリア及びその映像エリアの解像度を判別して解像度情報を出力する映像エリア判別手段である。１０は上記解像度情報をパラメータ演算手段６へ送出し、同パラメータ演算手段６から入力した、切り出しエリア情報とそのサンプリング開始位置情報と切り出されたエリアの拡大率情報を出力する制御手段である。
【００３０】
１３は映像信号から切り出しエリア情報とサンプリング開始位置情報により設定されたエリアを切り出す映像エリア切り出し手段である。１４は切り出されたエリアの映像信号を拡大率情報に基づいて水平・垂直方向に拡大する解像度変換手段である。１５は拡大された映像信号を画面表示する映像表示手段であり、プラズマ・ディスプレイパネルが用いられている。この映像表示手段１５は図２に示す画面Ａとに対応し、映像表示手段１６は画面Ｂと、映像表示手段１７は画面Ｃと、映像表示手段１８は画面Ｄとにそれぞれ対応している。
【００３１】
７は入力手段の１つであるキー入力手段であり、種々の設定データを操作キーを介して入力するようになっている。６はユーザーがキー入力手段から入力された設定データを演算し、表示パラメータとして制御手段１０へ出力したり、記憶手段５に対しデータの読み書きを行なう表示パラメータ演算手段である。５は表示パラメータ演算手段６からのデータを保存すると共に、マルチ画面用表示装置１固有の情報を記憶する記憶手段である。
なお、キー入力手段７はこれに限るものでなく、タッチパネルやライトペン、交換可能な記憶媒体などを用いて入力手段を構成してもよい。
【００３２】
この実施例では図２に示すように、画面Ａ〜画面Ｄの画面サイズはそれぞれ、横１０００ｍｍ×縦８００ｍｍ、横９００ｍｍ×縦８００ｍｍ、横９００ｍｍ×縦７００ｍｍ、横１０００ｍｍ×縦６００ｍｍである。この情報はそれぞれのマルチ画面用表示装置固有の情報であるため、各記憶手段５に予め記憶されている。
【００３３】
図３は各記憶手段５に記憶された内容を説明するための記憶内容一覧表である。横方向は画面Ａ〜Ｄ、つまり、各マルチ画面用表示装置の記憶手段５に対応しており、縦方向は該当する記憶手段５に記憶されるデータの内容を示している。前述したそれぞれのマルチ画面用表示装置の画面サイズは、映像表示手段の画面サイズの項に記憶されている。これはマルチ画面用表示装置固有の情報であるため、例えば工場出荷時に設定されている。なお、データはカンマ記号で区切られ、左が横方向の画面寸法（単位ミリメートル）であり、右が縦方向の画面寸法（単位ミリメートル）である。
【００３４】
このマルチ表示システムの特徴は、個々のマルチ画面用表示装置が独立して動作し、自分自身が配置された位置、つまり、マルチ表示画面の表示領域に対応する座標において、自分自身の画面サイズを考慮して、自分が表示すべき拡大率を計算し、これに基づいて入力された映像信号を表示することにある。従って他のマルチ画面用表示装置とは一切関係なく独立して動作することができるため、他の装置と連携するための同期などを取る必要がなく、マルチ画面用表示装置を自由に配置することができる。
【００３５】
このため、マルチ表示システムを構成するにあたり、入力される映像信号と対応する画面の縦横比に従ってマルチ表示画面のサイズを最初に決定する。この実施例では縦横比を３：４とし、これを縦１５００ミリメートル、横２０００ミリメートルのサイズに表示するようにしている。図２の点線で表される矩形の範囲がこれに相当する。説明を分かりやすくするため、縦横の寸法（ミリメートル単位）でこのマルチ表示画面の座標を表すことにする。なお、この座標は縦横の寸法でなくても、寸法に比例した値ならどのような値でもよい。
【００３６】
そして各マルチ画面用表示装置の画面を図２のように配置する。この配置は前述したように任意であり、マルチ画面用表示装置同志が重なり合っても本発明においては何の問題もない。図２は本発明の特徴を説明するため、マルチ表示画面のサイズより小さくて表示できない非表示部分、例えば画面Ａの上方や、逆に飛び出している部分、例えば画面Ｃの下方部分が存在するように配置している。
従ってマルチ表示画面全体を表示したいなら、連結された画面Ａ〜Ｄの画面の面積内に位置するようにマルチ表示画面のサイズを決定する。もしくは、マルチ画面用表示装置を新に追加して、不足する非表示部分を表示できるようにしてもよい。
【００３７】
次に、上記構成による動作について説明する。
マルチ表示画面のサイズと各マルチ画面用表示装置の配置を決定したら、この２つの情報を各マルチ画面用表示装置に記憶させる。これは縦と横の寸法からなるｘ，ｙの座標形式でキー入力手段７から入力し、表示パラメータ演算手段６を介して記憶手段５に格納することで行なわれる。
このように、マルチ画面用表示装置に設定するデータはマルチ画面の寸法と、該当するマルチ画面用表示装置の設置寸法だけでよいため、マルチ画面用表示装置を設置する場合に、設定作業を容易に行なうことができる。
【００３８】
ここでマルチ画面用表示装置の設置座標は、マルチ表示画面に対する該当マルチ画面用表示装置の画面左上の角が位置する座標である。例えば画面Ａはマルチ表示画面のｘ方向が同じ”０”でｙ方向が下に１００ミリメートル下がっているため、画面Ａの設置座標はＡ（０，１００）となる。同様に画面Ｂ〜Ｃはそれぞれ、Ｂ（１０００，０）、Ｃ（１００，９００）、Ｄ（１０００，８００）となる。なお、仮に画面Ａがマルチ表示画面に対して１００ミリメートル縦方向に飛び出している場合は、Ａ（０，−１００）とし、画面Ａを実際に表示するときに、ｙ方向に１００ミリメートル分だけ表示しないようにする。
【００３９】
図３は前述したマルチ表示画面のサイズと各マルチ画面用表示装置の配置が記憶手段５に格納された例を表しており、各マルチ画面用表示装置ごと、つまり各画面毎に記憶されている。ここでマルチ表示画面のサイズは各マルチ画面用表示装置で同じ値、横２０００，縦１５００（単位はミリメートル）であり、各マルチ画面用表示装置の設置座標は、画面Ａが（０，１００）、画面Ｂが（１０００，０）、画面Ｃが（１００，９００）、画面Ｄが（１０００，８００）となる。
【００４０】
次に記憶手段５に格納してある各設定値を用いてマルチ表示のための表示パラメータ演算について説明する。
各マルチ画面用表示装置で必要な表示パラメータは、該当するマルチ画面用表示装置で表示する範囲の画面をマルチ表示する入力映像信号から切り出す切り出しエリア情報、つまり該当画面のサイズと、該当するマルチ画面用表示装置のサンプリング開始位置情報、つまりマルチ画面用表示装置の設置座標と、切り出された画像を該当するマルチ画面用表示装置の画面一杯に拡大表示するための拡大率情報とである。
【００４１】
該当画面のサイズとマルチ画面用表示装置の設置座標の情報は前述したように記憶手段５に格納しているが、これらは実際の寸法（ミリメートル）を値としており、制御手段１０で使用するためには、入力映像信号の解像度と対応する値に変換する必要がある。なお、入力映像信号の解像度は、映像エリア判別手段１１から出力され、制御手段１０経由で表示パラメータ演算手段６へ入力される。
【００４２】
この実施例では入力映像信号の解像度をｘ方向１２８０、ｙ方向９６０とすると、これに対応するマルチ画面の画面サイズが、ｘ方向２０００、ｙ方向１５００であるため、１ミリメートル当たりの解像度は、ｘ方向０．６４、ｙ方向０．６４の係数となる。
【００４３】
従って、図３のマルチ画面用表示装置の設置座標の値にこの係数を乗じたものがサンプリング開始位置情報となる。
例えば、画面Ａ〜Ｄのサンプリング開始位置情報はそれぞれ、画面Ａが（０，６４）、画面Ｂが（６４０，０）、画面Ｃが（６４，５７６）、画面Ｄが（６４０，５１２）となる。
【００４４】
また、切り出しエリア情報も同様に、図３の映像表示手段の画面サイズに前述の係数を乗じて求められ、画面Ａ〜Ｄの切り出しエリア情報はそれぞれ、画面Ａが（６４０，５１２）、画面Ｂが（５７６，５１２）、画面Ｃが（５７６，４４８）、画面Ｄが（６４０，３８４）となる。なお、これらの計算結果も図３に示すように、一旦、記憶手段５に格納される。
【００４５】
次に拡大率情報について説明する。拡大率情報を求めるに当たり、まず、該当画面の寸法比を求める。これは該当するマルチ画面用表示装置の画面のｘ方向、及びｙ方向に対するマルチ画面のｘ方向、及びｙ方向のそれぞれの寸法比でマルチ画面の解像度を除算することで求められる。例えば画面Ａの画面サイズは、ｘ方向１０００、ｙ方向８００であり、マルチ画面の画面サイズは、ｘ方向２０００、ｙ方向１５００である。従って、ｘ方向の寸法比は２．０、ｙ方向の寸法比は１．９である。
【００４６】
同様に画面Ｂ〜Ｄはそれぞれ、ｘ方向の寸法比は２．２、ｙ方向の寸法比は１．９、ｘ方向の寸法比は２．０、ｙ方向の寸法比は２．１、ｘ方向の寸法比は２．０、ｙ方向の寸法比は２．５となり、これらの計算結果も図３に示すように、一旦、記憶手段５に格納される。そして、これらの寸法比でマルチ画面の解像度、つまり、ｘ方向１２８０、ｙ方向９６０をｘ方向とｙ方向ごとに除算したものが、該当するマルチ画面用表示装置の画面で求められる拡大率情報（解像度）となる。なお、回路設計の都合により、拡大率情報は必ずしも解像度に換算しなくても、ｘ方向の寸法比とｙ方向の寸法比を引き渡し、解像度変換手段で処理するようにしてもよい。
【００４７】
具体的に画面Ａ〜Ｄの拡大率は図３に示すようにそれぞれ、ｘ方向６４０、ｙ方向５０５、ｘ方向５８２、ｙ方向５０５、ｘ方向５８２、ｙ方向４５７、ｘ方向６４０、ｙ方向３８４となり、これらの計算結果も図３に示すように、一旦、記憶手段５に格納される。
【００４８】
以上のように切り出しエリア情報とサンプリング開始位置情報と拡大率情報の算出が終了したら、記憶手段５に記憶しているこれらの情報を表示パラメータ演算手段６が読み出し、制御手段１０へ引き渡す。制御手段１０では背景技術で説明した動作で画像の処置を行なう。
【００４９】
つまり、選択されたマルチ画面用表示装置１〜４において、映像エリア判別手段１１は、入力映像信号の映像エリアを判別すると共に、その映像エリアの解像度を判別して解像度情報を制御手段１０経由で表示パラメータ演算手段６に出力する。制御手段１０は、表示パラメータ演算手段６によりユーザがキー入力した設定データ値を表示パラメータとして算出した切り出しエリア情報とサンプリング開始位置情報と拡大率情報とを受け取る。
【００５０】
そして制御手段１０は、上記計算された切り出し情報と、上記サンプリング開始位置情報を映像切り出し手段１３に送る。映像切り出し手段１３は、映像エリア判別手段１１を通った入力映像信号から上記各情報に応じて設定されたエリアを切り出す。解像度変換手段１４は、切り出されたエリアの映像信号を、上記水平解像度及び垂直解像度を示す拡大率情報に基づいて拡大し、各映像表示手段１５〜１８は、個々のマルチ画面用表示装置で拡大された映像信号を画面一杯に表示する。
【００５１】
次に図５の表示パラメータ演算処理のフローチャートを用いて、表示パラメータ演算手段の処理手順を説明する。ただし、予め映像表示手段の画面サイズが記憶手段に格納されているものとする。
【００５２】
また、この実施例において、表示パラメータ演算処理は１つのタスク・プログラムとして構成されており、装置全体のマルチ・タスクの一部として動作する。そして、マルチ画面用表示装置の電源が投入されると、図示しないメイン・タスクと共に表示パラメータ演算処理のタスクが起動される。メイン・タスクでは映像表示手段を所定の表示パラメータで駆動するように設定すると共に、画面に新たな表示パラメータ設定を促す表示を行い、表示パラメータ演算処理のキー入力による新たな表示パラメータの設定を待つようになっている。これらのプログラムは制御手段１０によって実行されるようになっている。
【００５３】
表示パラメータ演算手段はまず最初に、キー入力手段からの設定データ入力を待つ（ＳＴ１）。設定データ入力があれば（ＳＴ１−Ｙ）、入力されたマルチ画面サイズとマルチ画面用表示装置の設置座標とを取り込んで、記憶手段へ格納する（ＳＴ２）。
【００５４】
次に制御手段経由で映像エリア判別手段から解像度情報を入力し（ＳＴ３）、映像表示手段の画面サイズを記憶手段から読み出し（ＳＴ４）、マルチ画面用表示装置の寸法比率を算出する（ＳＴ５）。次にサンプリング開始位置情報を算出し（ＳＴ６）、切り出しエリア情報を算出（ＳＴ７）した後、拡大率情報を算出する（ＳＴ８）。
【００５５】
そしてこれらの算出結果を記憶手段に格納し（ＳＴ９）、サンプリング開始位置情報と切り出しエリア情報と拡大率情報とを制御手段へ出力する（ＳＴ１０）。そしてＳＴ１へジャンプする。
【００５６】
一方、キー入力手段からの設定データ入力がなければ（ＳＴ１−Ｎ）、制御手段経由で映像エリア判別手段から解像度情報が入力され（ＳＴ１１）、解像度情報の変化を確認する（ＳＴ１２）。解像度情報の変化があれば（ＳＴ１２−Ｙ）、入力された映像信号に変化があると考えられるので、ＳＴ４へジャンプして表示パラメータを再計算し、制御手段へ出力する。解像度情報の変化がなければ（ＳＴ１２−Ｎ）、ＳＴ１へジャンプする。
【００５７】
次にマルチ画面用表示装置の設置と運用について説明する。
まず、必要なマルチ画面のサイズが決定したら、これに対応してマルチ画面用表示装置を固定する枠、もしくはマルチ画面全体の化粧パネルを製作する（図視せず）。
そして、この枠、もしくは化粧パネルの必要とされる位置に、必要とされる画面サイズを備えたマルチ画面用表示装置を固定し、入力映像信号用のケーブルを各マルチ画面用表示装置に接続する。
【００５８】
次に、電源を投入した各マルチ画面用表示装置ごとに、キー入力手段を用いて設定データ、つまり、マルチ画面サイズとマルチ画面用表示装置の設置座標とをそれぞれの寸法として入力する。すると、前述した表示パラメータ演算処理に従って表示パラメータ、つまり、サンプリング開始位置情報と切り出しエリア情報と拡大率情報とが制御手段へ出力される。
【００５９】
従って入力映像信号用のケーブルを介してマルチ画面用表示装置に映像信号が印加されていれば、この映像信号に従って各マルチ画面用表示装置が該当する画面を拡大表示し、結果的にマルチ画面を表示することができる。なお、この状態で入力映像信の解像度に変化があれば、表示パラメータが自動的に再計算され、対応した画面が直ちに表示される。
【００６０】
また、マルチ画面用表示装置の設置時に、取付誤差により目的とする位置からずれたとしても、入力される設置座標の寸法の値が実際の取付寸法と同じであれば、ずれた設置座標で表示パラメータが計算されるため、取付位置を修正しなくてもそのまま使用することができ、設置時の作業性が向上する。
【００６１】
次に本発明によるマルチ画面用表示装置を複数台用いて構成したマルチ画面表示システムの応用例を図４を用いて説明する。
図４はマルチ画面表示システムの応用例を示す画面の配置図であり、図４（Ａ）はそれぞれのマルチ画面用表示装置の画面サイズが異なる場合を示し、図４（Ｂ）は別の応用例、図４（Ｃ）は図４（Ｂ）のマルチ画面用表示装置の中の１台を他の画面サイズのマルチ画面用表示装置に代替した場合をそれぞれ示す。なお、各図で点線は入力された映像信号の表示領域（マルチ画面想定領域）を示している。
【００６２】
図４（Ａ）では画面Ａ〜Ｅの画面サイズが異なり、また、隣接する画面とは必ずしも接していない。この場合は映像が必要な箇所のみにマルチ画面用表示装置を設置しており、画面Ａの月と画面Ｂの雲、画面Ｃ〜Ｅの滝の部分にのみ画面が設置されている。
このように、必ずしも入力映像信号と対応する画面がなくても表示が可能なため、マルチ画面構成におけるデザインを自由に行なうことができる。また、必要のないマルチ画面用表示装置を省略できるため、設置コストを低減できる。
【００６３】
図４（Ｂ）はマルチ画面表示システムの別の応用例であり、画面Ａ〜Ｅを用いて噴火する火山と煙の部分のみに画面が設置されている。この場合も必要のないマルチ画面用表示装置を省略できるため、コストを低減できる。また、図４（Ｃ）では図４（Ｂ）の画面Ｅと対応するマルチ画面用表示装置が故障し、代わりに元の画面サイズより大きい画面を備えたマルチ画面用表示装置を設置した例を示している。
【００６４】
このように、代替されるマルチ画面用表示装置は、もとの装置と同じ画面サイズを備えている必要がなく、故障しても手持ちの装置で素早く復旧することができる。また、これに限らず、最初の設置時点で様々な画面サイズを備えた手持ちのマルチ画面用表示装置を組み合わせることにより、入力された映像信号の表示領域（マルチ画面）を構成できるため、実施に設置する種々のイベントでのデザイン要求に柔軟に対応が可能である。
【図面の簡単な説明】
【００６５】
【図１】本発明によるマルチ画面用表示装置を用いたマルチ画面表示システムを示すブロック図である。
【図２】本発明によるマルチ画面用表示装置の原理を説明する画面構成図である。
【図３】各記マルチ画面用表示装置の記憶手段に記憶された内容を説明するための記憶内容一覧表である。
【図４】マルチ画面表示システムの応用例を示す画面の配置図であり、（Ａ）はそれぞれのマルチ画面用表示装置の画面サイズが異なる場合、（Ｂ）は別の応用例、（Ｃ）はマルチ画面用表示装置の中の１台を他の装置に代替した場合をそれぞれ示す。
【図５】本発明によるマルチ画面用表示装置のパラメータ演算手段の処理を表すフローチャートである。
【図６】（Ａ）は従来のマルチ画面用表示装置を用いたマルチ画面表示システムを示すブロック図であり、（Ｂ）はマルチ画面表示を説明するための説明図である。
【符号の説明】
【００６６】
１、２、３、４  マルチ画面用表示装置
５  記憶手段
６  表示パラメータ演算手段
７  キー入力手段（入力手段）
１０  制御手段
１１  映像エリア判別手段
１３  表示エリア切り出し手段
１４  解像度変換手段
１５、１６、１７、１８  映像表示手段
【図１】
2006243200.tif 000003
【図２】
2006243200.tif 000004
【図３】
2006243200.tif 000005
【図４】
2006243200.tif 000006
【図５】
2006243200.tif 000007
【図６】
2006243200.tif 000008